(57)【要約】  【課題】排泄位置や方向等の相違に対応できる吸収性物品を提供する。  【解決手段】吸収性本体１０と外装シート２０との間に、外装シート２０に固定された固定部３１と、固定部３１に対して移動可能とされた非固定部３３とを有する移動シート３０が設けられており、この移動シート３０の非固定部３３の移動部３４に吸収性本体１０が取り付けられた構造とする。【選択図】図７
2007097646.tif 000002
【特許請求の範囲】
【請求項１】
吸収体を含む吸収性本体と、この吸収性本体の外面側に一体的に設けられた外装シートとからなる、吸収性物品において、
前記外装シートに対して平行に延在し、かつ前記外装シートに沿って移動可能とされたシート状の移動部を有し、
この移動部に対して前記吸収体が取り付けられている、
ことを特徴とする吸収性物品。
【請求項２】
前記吸収体と前記外装シートとの間に、前記外装シートに固定された固定部と、固定部に対して移動可能とされた非固定部とを有する移動シートが設けられており、
この移動シートの非固定部により前記移動部が形成されている、請求項１記載の吸収性物品。
【請求項３】
前記外装シートは、前記吸収体の前側および後側の少なくとも一方側に延在する延在部を有しており、
前記延在部に固定された固定部と、前記吸収体における前記延在部側の端部に被さるとともに前記固定部に対して移動可能とされた非固定部とを有する取付シートが設けられており、
この取付シートの非固定部により前記移動部が形成されている、請求項１記載の吸収性物品。
【請求項４】
前記外装シートは、物品の前後少なくとも一方の端部で外面側から内面側に折り返されており、
この折り返し部分は、外面側の部分に対して固定された固定部を基端部に、及び固定部に対して移動可能とされた非固定部を先端部にそれぞれ有しており、
この折り返し部分の非固定部により前記移動部が形成されている、請求項１記載の吸収性物品。
【請求項５】
前記吸収性本体は、吸収体の外面側に不透液性シートを備えており、
この不透液性シートは、前記外装シートに固定された固定部と、固定部に対して移動可能とされた非固定部とを有しており、
この不透液性シートの非固定部により前記移動部が形成されている、請求項１記載の吸収性物品。
【請求項６】
前記移動部を有するシートにおける前記移動部と前記固定部との間に折り返し部が形成されている、請求項２〜５のいずれか１項に記載の吸収性物品。
【請求項７】
前記移動部を有するシートは、その一部または全体が弾性伸縮することにより前記移動部が移動するものである、請求項２〜６のいずれか１項に記載の吸収性物品。
【発明の詳細な説明】
【技術分野】
【０００１】
本発明は、失禁用吸収性物品、紙おむつ、生理用ナプキン等の吸収性物品、特に男性用に適した吸収性物品に関する。
【背景技術】
【０００２】
従来、失禁用吸収性物品としてはパッド型のものが汎用されており、特に男性用を想定したものとしては、陰茎から陰嚢まで包み込む略三角形状のものも提案されている（特許文献１参照）。
しかしながら、従来の吸収性物品では、吸収体を固定するという考えに囚われていたため、陰茎のように排泄位置及び方向が容易に変化したり、個人差が大きかったりする場合に対応できず、漏れを生じ易いという問題点があった。
【特許文献１】特許第３３６７６６４号公報
【発明の開示】
【発明が解決しようとする課題】
【０００３】
そこで本発明の主たる課題は、排泄位置や方向等の相違に対応できる吸収性物品を提供することにある。
【課題を解決するための手段】
【０００４】
上記課題を解決した本発明は次記の通りである。
＜請求項１記載の発明＞
吸収体を含む吸収性本体と、この吸収性本体の外面側に一体的に設けられた外装シートとからなる、吸収性物品において、
前記外装シートに対して平行に延在し、かつ前記外装シートに沿って移動可能とされたシート状の移動部を有し、
この移動部に対して前記吸収体が取り付けられている、
ことを特徴とする吸収性物品。
【０００５】
（作用効果）
本発明では、外装シートに対して平行に延在し（つまり、外装体に対して起立しない）、かつ外装シートに沿って移動可能とされたシート状の移動部に対して吸収体が取り付けられているため、吸収体が移動部とともに外装シートに沿って移動することができる。
よって、例えば男性が装着するに際して、吸収体の位置を陰茎の位置及び方向に合わせて移動させることができ、また装着後に陰茎が移動したとしても吸収体は陰茎の移動に追従して移動することができる。その結果、本発明では、排泄位置や方向等の相違に対応でき、従来よりも漏れ難くなるのである。
また、本発明では移動部が外装シートに対して平行に延在するため、後述する例からも明らかなように、既存のシートを利用することができる、製造が容易になる等の利点ももたらされる。
【０００６】
＜請求項２記載の発明＞
前記吸収体と前記外装シートとの間に、前記外装シートに固定された固定部と、固定部に対して移動可能とされた非固定部とを有する移動シートが設けられており、
この移動シートの非固定部により前記移動部が形成されている、請求項１記載の吸収性物品。
【０００７】
（作用効果）
この形態は、吸収体と外装シートとの間にある既存のシートを兼用するか、または専用のシートを用いることで移動部を形成する形態である。吸収体は、移動シートの非固定部を伴って固定部に対して移動できる。
【０００８】
＜請求項３記載の発明＞
前記外装シートは、前記吸収体の前側および後側の少なくとも一方側に延在する延在部を有しており、
前記延在部に固定された固定部と、前記吸収体における前記延在部側の端部に被さるとともに前記固定部に対して移動可能とされた非固定部とを有する取付シートが設けられており、
この取付シートの非固定部により前記移動部が形成されている、請求項１記載の吸収性物品。
【０００９】
（作用効果）
この形態は、所謂前後漏れ（腹側端部からまたは背側端部からの漏れ）を防止するためのシートと同様の部位に設けられた取付シートを利用して移動部を形成するものである。吸収体は、取付シートの非固定部を伴って固定部に対して移動できる。
【００１０】
＜請求項４記載の発明＞
前記外装シートは、物品の前後少なくとも一方の端部で外面側から内面側に折り返されており、
この折り返し部分は、外面側の部分に対して固定された固定部を基端部に、及び固定部に対して移動可能とされた非固定部を先端部にそれぞれ有しており、
この折り返し部分の非固定部により前記移動部が形成されている、請求項１記載の吸収性物品。
【００１１】
（作用効果）
パンツ型紙おむつ等では、外装シートを前後端部で外面側から内面側に折り返し、外面側と内面側との間に糸ゴム等の弾性伸縮部材を挟んで固定する構造が知られている。本形態は、このような場合に、折り返し部分を利用して移動部を形成するものである。吸収体は、外装シートの折り返し部分の非固定部を伴って固定部に対して移動できる。
【００１２】
＜請求項５記載の発明＞
前記吸収性本体は、吸収体の外面側に不透液性シートを備えており、
この不透液性シートは、前記外装シートに固定された固定部と、固定部に対して移動可能とされた非固定部とを有しており、
この不透液性シートの非固定部により前記移動部が形成されている、請求項１記載の吸収性物品。
【００１３】
（作用効果）
吸収性物品では、吸収体の外面側に不透液性シートを備えた構造が広く採用されている。本形態は、この不透液性シートを利用して移動部を形成するものである。吸収体は、不透液性シートの非固定部を伴って固定部に対して移動できる。
【００１４】
＜請求項６記載の発明＞
前記移動部を有するシートにおける前記移動部と前記固定部との間に折り返し部が形成されている、請求項２〜５のいずれか１項に記載の吸収性物品。
【００１５】
（作用効果）
このように構成されていると、折り返し部が広がる若しくは折り返し位置が変化する等により、移動部が固定部に対して移動する。よって、折り返し部が無い場合と比べて、移動範囲を広げることができる。
【００１６】
＜請求項７記載の発明＞
前記移動部を有するシートは、その一部または全体が弾性伸縮することにより前記移動部が移動するものである、請求項２〜６のいずれか１項に記載の吸収性物品。
【００１７】
（作用効果）
このように、シートの弾性伸縮により移動部が移動するようになっていると、弾性伸縮しない場合と比べて、移動範囲を広げることができる。
【発明の効果】
【００１８】
以上のとおり、本発明によれば、排泄位置や方向等の相違に対応できるようになる等の利点がもたらされる。
【発明を実施するための最良の形態】
【００１９】
以下、本発明の一実施形態について、パンツ型吸収性物品への適用例に基づき、先ず共通的構成について説明し、次に各種形態の特徴について説明する。
図１は実施形態のパンツ型吸収性物品１の製品状態外観図であり、図２は展開状態での組み立て図である。このパンツ型吸収性物品１（以下、単に物品ともいう。）は、不織布などからなる透液性表面シート１１と、ポリエチレン等からなる不透液性シート１２との間に、綿状パルプなどの吸収体１３を介在させた吸収性本体１０と、この吸収性本体１０の外面側に対して一体的設けられた外装シート２０とからなるものである。製造に際しては、外装シート２０の上面側（内面側）に対して吸収性本体１０が一体化された後に、吸収性本体１０および外装シート２０が前後方向に折り重ねられ、その両側部が相互に熱溶着またはホットメルト接着剤などによって接合されることによって、ウエスト開口部及び左右一対のレッグ開口部が形成されたパンツ型吸収性物品となる。
【００２０】
以下、吸収性本体１０、外装シート２０の順に説明する。
（吸収性本体の構造）
吸収性本体１０は、図５及び図７に示すように、不織布などからなる透液性表面シート１１と、ポリエチレン等からなる不透液性シート１２との間に、綿状パルプなどの吸収体１３を介在させた構造とされ、体液を吸収保持するものである。
【００２１】
吸収体１３の表面側（肌当接面側）を覆う透液性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性表面シート１１に多数の透孔を形成した場合には、尿などが速やかに吸収されるようになり、ドライタッチ性に優れたものとなる。透液性表面シート１１は、吸収体１３の側縁部を巻き込んで吸収体１３の裏面側まで延在している。
【００２２】
吸収体１３の裏面側（非肌当接面側）を覆う不透液性シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００２３】
吸収体１３は、フラッフ状パルプと吸水ポリマーとを成形してなるものが好適に用いられる。吸水性ポリマーは吸収体を構成するパルプ中に例えば粒状粉として混入することができる。パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用できる。もちろんこれ以外の公知の吸収体も採用することができる。また、吸収体１３は、形状保持と透液性表面シート１１を透過した体液の拡散性向上のため等、必要に応じてクレープ紙等の透液性シート１４によって包むことができる。吸収体１３の形状は、図示形態のように背側及び腹側に対して股間部の幅が狭い形状としたり、矩形形状としたりすることができる。
【００２４】
一方、吸収性本体１０の両側部には脚周りにフィットする立体ギャザーＢＳが形成されているのが好ましい。この立体ギャザーＢＳはギャザー不織布１５により形成される、ギャザー不織布としては、図６に示されるように、折返しによって二重シートとした不織布が好適に用いられ、透液性表面シート１１によって巻き込まれた吸収体１３の側縁部をさらにその上側から巻き込んで吸収体１３の裏面側まで延在して接着されている。より具体的には、ギャザー不織布１５は、吸収性物品１の長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００２５】
二重シート不織布によって形成されたギャザー不織布１５の内部には、起立先端側部分に複数本の糸状弾性伸縮部材１６、１６…が配設されている。糸状弾性伸縮部材１６、１６…は、製品状態において図７に二点鎖線で示すように、弾性伸縮力により吸収体側縁部より突出する不織布部分を起立させて立体ギャザーＢＳを形成するためのものである。
【００２６】
不透液性シート１２は、二重シート状のギャザー不織布１５の内部まで進入し、図６に示されるように、立体ギャザーＢＳの下端側において防漏壁を構成するようになっている。かかる不透液性シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００２７】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、糸状弾性伸縮部材に代えて、ある程度の幅を有するテープ状弾性伸縮部材を用いるようにしてもよい。
【００２８】
前述のギャザー不織布１５を構成する素材繊維も透液性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００２９】
（外装シートの構造）
外装シート２０は、図２及び図３に示されるように、上層不織布２０Ａ及び下層不織布２０Ｂからなる２層構造の不織布シートとされ、上層不織布２０Ａと下層不織布２０Ｂとの間に各種弾性部材が配設され、伸縮性が付与されている。平面形状は、中間両側部に夫々脚部開口を形成するために形成された凹状の脚回りカットライン２９により、全体として擬似砂時計形状をなしている。
【００３０】
特に、図示形態の外装シート２０においては、弾性部材として、図３に示される展開形状において、ウエスト開口部回り２３に配置されたウエスト部弾性部材２４，２４…と、腹側部分Ｆ及び背側部分Ｂに、上下方向に間隔をおいて水平方向に沿って配置された複数の腰回り弾性部材群２５，２５…とを有するとともに、腹側部分Ｆ及び背側部分Ｂのそれぞれにおいて、腰回り弾性部材群２５，２５…とは別に、腹側部分Ｆと背側部分Ｂとを接合する一方側接合縁から股下側に延び、股下側を迂回して腹側部分と背側部分との他方側接合縁に到達するとともに、互いに交差することなく間隔をおいて配置された複数本の湾曲弾性部材群２６…、２８…を備えている。なお、本外装シート２０では、脚回りカットライン２９に沿って実質的に連続する、所謂脚回り弾性部材は設けられていない。
【００３１】
以下、各種弾性部材毎に詳述する。
ウエスト部弾性部材２４，２４…は、腹側部分Ｆと背側部分Ｂとが接合された脇部接合縁２１、２２の範囲の内、ウエスト開口縁近傍に上下方向に間隔をおいて配設された複数条の糸ゴム状弾性部材であり、身体のウエスト部回りを締め付けるように伸縮力を与えることにより吸収性物品を身体に装着するためのものである。このウエスト部弾性部材２４は、図示例では糸ゴムを用いたが、例えばテープ状の伸縮部材を用いてもよい。
【００３２】
腰回り弾性部材群２５，２５…は、脇部接合縁２１、２２の内、概ね上部から下部までの範囲に亘り、上下方向に間隔をおいて水平方向に沿って配設された糸ゴム状の弾性部材であり、腹側部分Ｆ及び背側部分Ｂの腰回り部分に夫々水平方向の伸縮力を与え、吸収性物品を身体に密着させるためのものである。なお、ウエスト部弾性部材２４、２４…と腰回り弾性部材群２５、２５…との境界は必ずしも明確でなくてよい。例えば、腹側部分Ｆ及び背側部分Ｂに上下方向に間隔をおいて水平方向に配置された弾性部材の内、数は特定できなくても、上部側の何本かがウエスト部弾性部材として機能し、残りの弾性部材が腰回り弾性部材として機能していればよい。
【００３３】
背側部分Ｂにおいて、腰回り弾性部材群２５，２５…とは別に配設された背側湾曲弾性部材群２６、２６…は、一方側の脇部接合縁２２からほぼ脚回りカットライン２９に沿うように股下部に延び、股下部を迂回して反対側の脚回りカットライン２９にほぼ沿いながら他方側の脇部接合縁２２に到達するように配置された複数本、図示例では９本の糸ゴム状弾性部材であり、これら背側湾曲弾性部材群２６、２６…は互いに交差することなく、間隔をおいて配置されている。この背側湾曲弾性部材群２６、２６…は、従来の脚回り弾性部材とは配置態様が異なるものである。すなわち、２，３本程度の弾性伸縮部材を間隔を密にして実質的に一束として配置されるのではなく、所定の伸縮ゾーンを形成するように所定の間隔を空けて、５本以上、好ましくは７本以上配置される。
【００３４】
背側湾曲弾性部材群２６，２６…の始終端は、腹側部分Ｆと背側部分Ｂとの接合縁のほぼ上部から下部の範囲に亘り所定の間隔で接続され、吸収性本体１０の側縁との交差部において、背側湾曲弾性部材群２６，２６…と吸収性本体１０側縁との鋭角側交差角αは３５°以上、好ましくは４０°以上、より好ましくは４５°以上となる配置パターンで配置されている。因みに図示例では、交差角αが４７°前後となるように配置されている。交差角αは、水平方向分力と鉛直方向分力のバランスから、大きくとも６０°以下とするのが望ましい。
【００３５】
腹側部分Ｆと背側部分Ｂとの脇部接合縁２１，２２において、背側湾曲弾性部材群２６、２６…の内、最もウエスト開口部寄りに位置する弾性部材２６ｉは、ウエスト部弾性部材２４，２４…の最下側弾性部材２４Ｏからの距離ＳＢが２０ｍｍ以内となるように配置される。装着に際して着用者がウエスト部の脇を掴んで上方に引き上げた際、湾曲弾性部材２６、２６…の弾性力によって吸収性物品の背側部分Ｂ側を上方に引上げ易くなり、穿き易さが向上するようになる。
【００３６】
また、背側湾曲弾性部材群２６，２６…は、股下部の迂回部において、弧状曲線状に方向転換されていることが望ましい。弾性部材では接線方向に伸縮力が作用するところ、股下部において曲線状に反転させることにより、吸収体１３の幅方向に作用する力を極小化でき、該股下部での吸収体１３の縮こまりを防止することが可能となる。
【００３７】
特に図示形態の吸収性物品１では、背側部分Ｂにおいて、臀部の膨らみ形状に対応して外装シート２０をフィットさせるために、臀部の膨らみに対し極力沿う方向に伸縮力を作用させるべく、相対的に緩い傾斜角度で弾性部材群２６，２６…を配置するようにしたものであり、例えば交差角α＝４７°で伸縮部材２６、２６…が配置されているとすると、与えた伸縮力の７３％を水平方向分力として作用させることができるようになり、臀部を包み込むように外装シート２０を身体に密着させることができるようになる。その結果、吸収性本体１０を中央側に縮こまらせることがなくなるとともに、確実に身体に密着させることにより漏れ防止効果が高まるようになる。
【００３８】
さらに、腹側部分Ｆと背側部分Ｂとの脇部接合縁２１，２２における背側湾曲弾性部材群２６，２６…の配置間隔、すなわち脇部側縁２１，２２の弾性部材配置区間ＢＬにおける配置間隔は、股下部の弾性部材配置区間ＭＢにおける背側湾曲弾性部材群２６，２６…の配置間隔とほぼ同じとされ、かつ背側湾曲弾性部材群２６，２６…の内、最も股下側に位置する弾性部材２６Ｏは吸収性物品の股下部折り畳みラインＣＬからの距離ＢＨが±５０ｍｍ以内、好ましくは３５ｍｍ以内となる曲線形状を描くように配置されている。背側湾曲弾性部材群２６，２６…の配置間隔を脇部接合縁２１，２２と股下部とで均等配置にすることにより、弾性力が集中せずに均等バランスで外装シート２０全体を身体に密着させるようになるとともに、背側湾曲弾性部材群２６，２６…が描くラインが股下部近傍領域を迂回する大波の曲線形状で配置することにより、外装シート２０を身体に対してきっちりと密着保持し得るようになる。
【００３９】
背側部分Ｂ側に配置された背側湾曲弾性部材群２６，２６…は、股下部において、吸収性物品の股下部折り畳みラインＣＬを基準に腹側部分Ｆ側に偏倚していることが望ましい。股下部において、背側湾曲弾性部材群２６，２６…を吸収性物品の股下部折り畳みラインＣＬを基準に腹側部分Ｆ側に偏倚させることにより、臀部側で生じる吸収性物品のずり落ちを無くすとともに、外装シート２０の弛みを無くして身体にフィットさせることができる。
【００４０】
他方、外装シート２０の腹側部分において、腰回り弾性部材群２５，２５…とは別に配設された腹側湾曲弾性部材群２８，２８…も、一方側の脇部接合縁２１から股下側に延び、股下側を迂回して他方側の脇部接合縁２１に到達するとともに、交差することなく間隔をおいて配置された複数本の、図示例では９本の糸状弾性部材であり、これら腹側湾曲弾性部材群２８，２８…は、互いに交差することなく、間隔をおいて配置されている。この腹側湾曲弾性部材群２８、２８…も、従来の脚回り弾性部材とは配置態様が異なるものである。すなわち、２，３本程度の弾性伸縮部材を間隔を密にして実質的に一束として配置されるのではなく、所定の伸縮ゾーンを形成するように所定の間隔を空けて、５本以上、好ましくは７本以上配置される。
【００４１】
この腹側弾性部材群２８，２８…の始終端も、腹側部分Ｆと背側部分Ｂとの脇部接合縁２１，２１のほぼ上部から下部の範囲に亘り、所定の間隔で接続され、吸収性本体１０の側縁との交差部において、腹側湾曲弾性部材群２８，２８…と吸収性本体１０側縁との鋭角側交差角θが３０°以下、好ましくは２８°以下となる配置パターンで配置されている。因みに、図示例では交差角θが２６°前後となるように配置されている。交差角θは、水平方向分力と鉛直方向分力のバランスから、少なくとも２０°以上とするのが望ましい。
【００４２】
この腹側湾曲弾性部材群２８，２８…についても、吸収体１３の幅方向に作用する力を極小化し、該股下部での吸収体１３の縮こまりを防止するために、股下部の迂回部において、ほぼ弧状曲線状に方向転換されていることが望ましい。
【００４３】
本実施形態の吸収性物品１においては、身体の前側部分には身体の後側臀部のような引掛かりとなる膨らみがないため、吸収性物品のずり落ちは主として腹側部分側Ｆで顕著に発生する傾向にあるとの知見に鑑み、相対的にきつい傾斜角度で弾性部材群２８，２８…を配置するようにしたものであり、図示例のように、交差角θ＝２６°で伸縮部材２８、２８…が配置されているとすると、与えた伸縮力の９０％を上方向分力として作用させることができ、吸収性物品のずり落ちを効果的に防止できるようになる。
【００４４】
腹側部分Ｆと背側部分Ｂとの脇部接合縁２１，２２において、腹側湾曲弾性部材群２８，２８…の内、最もウエスト開口部寄りに位置する弾性部材２８ｉは、ウエスト部弾性部材の最下側弾性部材２４Ｏからの距離ＳＦが２０ｍｍ以内となるように配置される。装着に際して着用者がウエスト部の脇をもって上方に引き上げた際、腹側湾曲弾性部材２８、２８…の弾性力によって吸収性物品の腹側部分Ｆ側を上方に引上げ易くなり、穿き易さが向上するようになる。
【００４５】
さらに、腹側部分Ｆと背側部分Ｂとの脇部接合縁２１，２２における腹側湾曲弾性部材群２８，２８…の配置間隔、すなわち脇部側縁２１，２２の弾性部材配置区間ＦＬにおける配置間隔は、股下部の弾性部材配置区間ＭＦにおける腹側湾曲弾性部材群２８，２８…の配置間隔とほぼ同じとされ、かつ腹側湾曲弾性部材群２８，２８…の内、最も股下側に位置する弾性部材２８Ｏは吸収性物品の股下部折り畳みラインＣＬからの距離ＦＨが±５０ｍｍ以内、好ましくは３５ｍｍ以内となる曲線形状を描くように配置されている。腹側湾曲弾性部材群２８，２８…の配置間隔を脇部接合縁２１，２２と股下部とで均等配置にすることにより、弾性力が集中せずに均等バランスで外装シート２０を身体に密着させるようになるとともに、腹側湾曲弾性部材群２８，２８…が描くラインが股下部近傍領域を迂回する大波の曲線形状で配置することにより、外装シート２０を身体に対してきっちりと密着保持し得るようになる。
【００４６】
ところで、腹側湾曲弾性部材群２８，２８…の一部と、背側湾曲弾性部材群２６，２６…の一部とは、股下部において交差させることもできるが、腹側湾曲弾性部材群２８，２８…の内の最股下側弾性部材２８Ｏと、背側部分側Ｂに配置された背側湾曲弾性部材群２６，２６…の内の最股下側弾性部材２６Ｏとが、股下部において互いに交差することなく近接している方が好ましい。近接幅（ＦＨ−ＢＨ）は、１０〜２０ｍｍとするのが望ましい。後者の場合、股下部において、湾曲弾性部材群２８…、２６…によって吸収性本体１０を均等の圧力で身体側に押付け密着させるため、身体との隙間が封鎖され、高い漏れ防止効果が発揮されるようになる。
【００４７】
また、上記形態例では、腹側部分Ｆ及び背側部分Ｂに配置された腰回り弾性部材群２５，２５…及び湾曲弾性部材２６…、２８…は、吸収性本体１０上においても連続させて配置するようにしたが、図４に示されるように、吸収性本体１０を横切る弾性部材を切断し、不連続としてもよい。弾性部材を吸収性本体上で不連続とすることにより、吸収体１３の縮こまりをより防止することができる。なお、吸収性本体１０上で弾性部材が切断されているか否かに拘わらず、腰回り弾性部材群２５，２５…及び湾曲弾性部材２６…、２８…が切断前の状態で上記配置とされている限り、上記の作用効果が奏せられる。
【００４８】
他方、上述した外装シート２０は、例えば特開平４−２８３６３号公報や、特開平１１−３３２９１３号公報記載の技術により製造することができる。また、湾曲弾性部材２６…、２８…を吸収性本体１０上で切断し不連続化するには、特開２００２−３５０２９号公報、特開２００２−１７８４２８号公報及び特開２００２−２７３８０８号公報に記載される切断方法が好適に採用される。
【００４９】
（移動部の第１の形態）
次に、本発明に係る移動部の各種形態について説明する。図６〜図８は、移動部の第１の形態を示しており、吸収性本体１０と外装シート２０との間に、外装シート２０に対して接着剤Ｇ２により固定された固定部３１と、固定部３１に対して移動可能とされた非固定部３２とを有する移動シート３０が設けられており、この非固定部３２における固定部から離間した部位を移動部３３とし、この移動部３３に吸収性本体１０の裏面が接着剤Ｇ１により取り付けられているものである。
【００５０】
より詳細には、図示形態の移動シート３０は、吸収性本体１０よりも幅広で且つ略同じ長さの矩形形状を有している。移動シート３０は、幅方向中央部全体が接着剤Ｇ２により外装シート２０内面に固定されて固定部３１をなしている。この固定部３１に対して幅方向両側部３２，３２は、固定部３１上に折り返された後、この折り返し部分のうち幅方向中央近傍までの中間部分上に先端側部分が折り返され、この先端側部分が吸収性本体１０の両側端部まで延在されている。そして、この両側部３２，３２は、股下部を除く腹側部分Ｆにおいては非固定部３３とされ、固定部３１に対して移動するようになっており、股下部から背側部分Ｂにかけては、図６及び図８に示すように、接着剤Ｇ３等により固定され、固定部３１に対して移動しないようになっている。また、この両側部３２，３２の先端部３４，３４には、吸収性本体１０の底面両側端部が接着剤Ｇ１により接着されている。
【００５１】
かくして構成された物品１では、移動シート３０のうち、非固定部３３の先端部３４が外装シート２０に対して平行に延在し、かつ外装シート２０に沿って幅方向に移動可能な移動部をなし、吸収性本体１０のうち移動部に連結された部分は、移動部とともに外装シート２０に沿って移動することができる。
【００５２】
特に、移動シート３０は物品幅方向に伸縮するように折られているため、折り返し部が広がる若しくは折り返し位置が変化する等により、吸収性本体１０の移動範囲が各段に広いものとなる。この移動範囲は、移動部３２Ｍと固定部３１との離間距離および折り返し数を適宜増減することにより調整できる。折り返し数は適宜定めることができるが、１〜３が好適である。
【００５３】
他方、股下部で吸収性本体１０が外装シート２０に対して移動可能であると、その移動が両足により制限される結果、吸収性本体１０がよれたり、傾いたりしてしまうのに対して、図示形態のように股下部では移動シート３０の両側部３２，３２が固定されており、吸収性本体１０が外装シート２０に対して移動できないため、そのような事態が発生し難くなる。
【００５４】
なお、移動シート３０の素材としては、柔軟な素材であれば特に限定なく用いることができ、例えば透液性表面シート１１や、不透液性シート１２と同様の素材を用いることができる。接着剤としてはホットメルト接着剤を用いることができる。
【００５５】
（移動部の第２の形態）
図９〜図１１は、移動部の第２の形態を示しており、ウエスト開口縁において外装シート２０が外面側から内面側に折り返されて二重に形成された部分６０に挟まれて固定された固定部５１と、吸収性本体１０の前端部に被さる位置まで延在され、固定部５１に対して移動可能とされた非固定部５２とを有する取付シートを備えた形態である。この取付シートは、所謂前後漏れ（腹側端部からまたは背側端部からの漏れ）を防止するためのシートと同様の部位に設けられるものであり、既存の前後漏れ防止シートの構成をそのまま利用することもできる。
【００５６】
すなわち、股下部を除く腹側部分Ｆにおいて吸収性本体１０を外装シート２０に固定せず移動可能にするとともに、吸収性本体１０の前端部を、取付シート５０の非固定部５２における固定部５１から離間した部位５３に連結したものである。股下部及び背側部分Ｂにおいては、吸収性本体１０のほぼ全体１０Ｂを外装シート２０の内面に固定している。これらの固定・連結にはホットメルト接着剤等を用いることができる。
【００５７】
取付シート５０の素材としては、ギャザー不織布１５と同様のものを好適に用いることができる。取付シート５０の幅は、少なくとも吸収性本体１０の前端部全体を覆う程度あれば良いが、図示のように腹側部分Ｆにおける脇部接合縁２１、２１間全体にわたるように構成するのが好ましい。
【００５８】
また、取付シート５０の先端を吸収性本体１０に固定すると、漏れ防止上好ましくないため、先端からある程度離間した部分を、吸収性本体１０と連結するのが好ましい。
【００５９】
かくして構成された物品では、吸収性本体１０の前端側部分は、取付シート５０の非固定部５２の移動範囲内で外装シート２０に沿って移動可能となる。
【００６０】
（移動部の第３の形態）
第３の形態は、第２の形態の取付シート５０に代えて、図１２に示すように、外装シート２０が外面側から内面側に折り返されて二重に形成された部分６０を、吸収性本体１０の前端部まで延在させて利用するものである。すなわち、この外装シート２０の折り返し部分６０は、外面側の部分に対して固定された固定部６１を基端部に、及び固定部６１に対して移動可能とされた非固定部６２を先端部にそれぞれ有しており、この非固定部６２における固定部６１から離間した部位に、吸収性本体１０の前端部を連結したものである。
【００６１】
このような形態でも、第２の形態と同様に、吸収性本体１０の前端側部分は、外装シート折り返し部分６０の非固定部６２の移動範囲内で外装シート２０に沿って移動可能となる。
【００６２】
なお、図示形態では、外装シート折り返し部分６０の上面に吸収性本体１０の下面を連結しているが、第２の形態に倣って、折り返し部分６０の下面に吸収性本体１０の上面を連結しても良い。
【００６３】
（移動部の第４の形態）
第４の形態は、図１３に示すように、第１の形態の移動シート３０と同様の機能を、吸収体１３の裏面側に設けられる不透液性シート１２を利用して実現したものである。
【００６４】
不透液性シート１２に用いられる素材の中には復元性に乏しく、折り目が弱くなり易いものもあるが、そのような場合等、必要に応じて折り目部分のシート相互を接着剤Ｇ４で接着することもできる。その他は、基本的に第１の形態と同様であるため、図中に同じ符号を付し、説明は省略する。
【００６５】
（移動部の第５の形態）
第５の形態は、図１４及び図１５に示すように、吸収性本体１０と外装シート２０との間に、外装シート２０に対して接着剤Ｇ５等により固定された固定部４１と、固定部４１に対して移動可能とされた非固定部４２とを有する弾性伸縮シート４０が、外装シート２０に対して平行に延在されており、この非固定部４２における固定部から離間した部位を移動部４３とし、この移動部４３に吸収性本体１０が接着剤Ｇ６等により取り付けられているものである。
【００６６】
より詳細には、弾性伸縮シート４０は、吸収性本体１０よりも幅広で且つ略同じ長さの矩形形状を有しており、第１の形態とは異なり折り畳まれていない。そして、股下部を除く腹側部分Ｆにおいては、弾性伸縮シート４０の幅方向両端部は外装シート２０内面に対して接着剤Ｇ５等により固定され、中間部は非固定部４２とされるとともに、股下部及び背側部分Ｂにおいては、ほぼ全体４４が外装シート２０内面に対して固定される。また、弾性伸縮シート４０の内面における固定部４１から離間した部位（幅方向中央部）４３に、吸収性本体１０の裏面が接着剤Ｇ６等により固定されている。
【００６７】
弾性伸縮シート４０としては、ゴムシートや、ゴムシートや糸ゴム等の弾性部材を不織布シート間に挟んで固定した弾性伸縮シートを用いることができる。ただし、弾性伸縮シートは、その全体が弾性伸縮する必要は無く、固定部と移動部との間の一部または全部が弾性伸縮するものであれば良い。
【００６８】
かくして構成されていると、弾性伸縮シート４０における固定部４１と移動部４３との間の部分の伸縮により移動部４３が移動でき、これに伴って吸収性本体１０も移動することができる。
【００６９】
（その他の形態）
第１の形態や第４の形態のように、シートの折り返しにより移動範囲を拡大する形態において、第５の形態のような弾性伸縮による移動範囲の拡大を組み合わせることができ、例えば、第１の形態における移動シート、または第４の形態における不透液性シート１２として弾性伸縮シートを用いることができる。
【００７０】
また、上記第２の形態、第３の形態においても、第１の形態や第４の形態のように、シートの折り返しにより移動範囲を拡大したり、第５の形態のように弾性伸縮により移動範囲を拡大したりすることができる。
【００７１】
上記形態では、股下部及び背側部分を除いた腹側部分（Ｆ）の一部のみが移動するように構成したが、その範囲は適宜定めることができ、例えば吸収体１３全体が移動するように構成することもできる。
【００７２】
例えば第１及び第４の形態の場合、股下部及び背側部分Ｂにおいても腹側部分Ｆと同様に移動シート３０または防水シート１２に非固定部３３を設けることができる。また第２及び第３の形態の場合、背側部分Ｂにも腹側部分Ｆと同様の取付シート５０または外装シート折り返し部分６２を設け、吸収性本体１０の前後端部を、前後の取付シートまたは外装シート折り返し部分にそれぞれ連結し、中間部分を固定しない構成とすることができる。
【産業上の利用可能性】
【００７３】
以上、パンツ型吸収性物品における適用例に基づいて詳説したが、本発明は、両側部のテープにより止着するテープ式のものや、各種生理用ナプキン等、他の種類の吸収性物品にも適用できることはいうまでもない。
【図面の簡単な説明】
【００７４】
【図１】パンツ型吸収性物品の斜視図である。
【図２】展開状態での組み立て図である。
【図３】外装シート２０の展開状態の平面図である。
【図４】外装シート２０の変形例を示す展開状態の平面図である。
【図５】吸収性本体１０の平面図である。
【図６】第１の形態を示す展開状態の平面図である。
【図７】図６のＡ−Ａ断面図である。
【図８】図６のＢ−Ｂ断面図である。
【図９】第２の形態を示す展開状態の平面図である。
【図１０】図９のＡ−Ａ断面図である。
【図１１】図９のＣ−Ｃ断面図である。
【図１２】図９のＣ−Ｃ断面に相当する第３の形態の断面図である。
【図１３】図１のＡ−Ａ断面に相当する第４の形態の断面図である。
【図１４】第５の形態の展開状態の平面図である。
【図１５】図１４のＡ−Ａ断面図である。
【符号の説明】
【００７５】
１…吸収性物品、１０…吸収性本体、１１…透液性表面シート、１２…不透液性シート、１３…吸収体、１４…クレープ紙、１５…ギャザー不織布、１６…糸状弾性伸縮部材、２０…外装シート、２１・２２…脇部接合縁、２４…ウエスト部弾性部材、２５…腰回り弾性部材、２６…背側湾曲弾性部材、２８…腹側湾曲弾性部材、２９…脚回りカットライン、３０…移動シート、４０…弾性伸縮シート、５０…取付シート、６０…外装シート折り返し部、Ｆ…腹側部分、Ｂ…背側部分。
【図１】
2007097646.tif 000003
【図２】
2007097646.tif 000004
【図３】
2007097646.tif 000005
【図４】
2007097646.tif 000006
【図５】
2007097646.tif 000007
【図６】
2007097646.tif 000008
【図７】
2007097646.tif 000009
【図８】
2007097646.tif 000010
【図９】
2007097646.tif 000011
【図１０】
2007097646.tif 000012
【図１１】
2007097646.tif 000013
【図１２】
2007097646.tif 000014
【図１３】
2007097646.tif 000015
【図１４】
2007097646.tif 000016
【図１５】
2007097646.tif 000017